(57)【要約】【課題】  遊技機の制御部品の不正交換を簡単な構成で高いセキュリティを保ちつつ検査可能な遊技機検査システムを提供する。【解決手段】  検査時刻設定テーブルにて予め設定された時刻が到来すると、乱数生成ルーチンによって生成された乱数がハードディスクドライブ１１０ｄ上の任意情報テーブルに今回の任意情報として記憶される。ホール管理コンピュータ１１０は、リーダ／ライタ１２０を介して各無線ＩＣタグ８８よりセキュリティ情報を取得し、そのセキュリティ情報と任意情報テーブルにて記憶される前回の任意情報とを照合し、セキュリティ情報と前回の任意情報とが一致するか否かを判定することにより、ＲＯＭ８３の不正交換がなされたか否かを検査する。さらに、リーダ／ライタ１２０は、任意情報テーブルに記憶された今回の任意情報を各無線ＩＣタグ８８に新たなセキュリティ情報として書き込む。【選択図】        図７
2005312558.tif 000002
【特許請求の範囲】
【請求項１】
遊技機に装着された制御部品の不正交換がなされたか否かを検査する遊技機検査システムであって、
任意情報を生成する任意情報生成手段と、
その任意情報生成手段によって生成された前記任意情報を記憶する任意情報記憶手段と、
各遊技機の制御部品に取り付けられた無線通信可能な情報保持手段に、前記任意情報記憶手段に記憶された前記任意情報をセキュリティ情報として書き込むセキュリティ情報書き込み手段と、
前記情報保持手段より前記セキュリティ情報を取得するセキュリティ情報取得手段と、
予め設定された所定のタイミングで、前記セキュリティ情報取得手段を介して取得された前記セキュリティ情報と前記任意情報記憶手段にて記憶される前記任意情報とを照合して、前記セキュリティ情報と前記任意情報とが一致するか否かを判定する照合判定手段と
を備えたことを特徴とする遊技機検査システム。
【発明の詳細な説明】
【技術分野】
【０００１】
本発明は、遊技ホールに設置された遊技機において制御基板やＲＯＭ等の制御部品の不正交換がなされたか否かを検査する遊技機検査システムに関するものである。
【背景技術】
【０００２】
パチンコ機やスロットマシン等の遊技機には、ＣＰＵやＲＯＭを実装した制御基板が備えられており、遊技機における遊技動作の内容は、制御基板上のＲＯＭに格納されている制御プログラムに基づいて決定される。
そのため、遊技機の流通過程において或いは遊技ホールに夜間に侵入して、制御基板に実装されている制御プログラムを格納するＲＯＭを多量の遊技球を獲得できる遊技動作を実行する不正なＲＯＭと交換し、その不正ＲＯＭが装着された遊技機で遊技を行うことにより、不当な利益を得ようとする不正が行われる場合がある。
【０００３】
そこで、従来、秘密に管理された当該パチンコ機固有のセキュリティ情報を無線ＩＣタグに保持させ、その無線ＩＣタグを遊技機の制御基板に取り付けておき、その無線ＩＣタグより送信されるセキュリティ情報をリーダ装置によって受信し、遊技ホールに設置された管理装置に記憶されたセキュリティ情報と照合するようにした遊技機検査システムが提案されている（例えば、特許文献１、特許文献２参照。）。かかる遊技機検査システムによれば、セキュリティ情報が一致しないか或いは所定時間内にセキュリティ情報が送信されない場合には、制御基板の不正交換が行われたと判断して、その旨が管理装置に記憶されると共に、必要に応じてモニターにて遊技ホールの管理者への報知等が行われる。このような従来の遊技機検査システムにおいて、無線ＩＣタグはリーダ装置から出力される電波中に自身を指定する送信アドレス等の識別情報があることを条件にセキュリティ情報を外部出力するので、セキュリティ情報が第三者に知られることを防止するようになっている。
【特許文献１】特開平１１−９９２７０号公報
【特許文献２】特開２０００−３４２７５２号公報
【発明の開示】
【発明が解決しようとする課題】
【０００４】
しかしながら、上述した従来の遊技機検査システムでは、送信アドレス等の識別情報やセキュリティ情報が固定的に設定されているため、秘密に管理されているはずの識別情報及びセキュリティ情報が第三者によって盗まれる危険性が全くないと断定することはできない。そして、万が一、識別情報及びセキュリティ情報が悪意のある第三者によって盗まれた場合には、正規の制御基板に取り付けられた無線ＩＣタグと同一の識別情報及びセキュリティ情報を保持する無線ＩＣタグを容易に偽造可能となってしまうという問題がある。すなわち、盗んだ識別情報及びセキュリティ情報をリーダ／ライタを用いて無線ＩＣタグに書き込むことにより正規の無線ＩＣタグと同一の情報を保持する無線ＩＣタグが偽造され、その偽造された無線ＩＣタグが不正な制御基板に取り付けられた場合には、従来の遊技機検査システムによる無線ＩＣタグから取得したセキュリティ情報と管理装置で記憶するセキュリティ情報との照合判定によっては、制御基板の不正交換を発見できない事態が発生する。
【０００５】
解決しようとする課題は、遊技機の制御部品の不正交換を簡単な構成で高いセキュリティを保ちつつ検査可能な遊技機検査システムを提供することである。
【課題を解決するための手段】
【０００６】
以下、上記課題を解決するのに適した各手段につき、必要に応じて作用効果等を付記しつつ説明する。
１．遊技機に装着された制御部品の不正交換がなされたか否かを検査する遊技機検査システムであって、
任意情報を生成する任意情報生成手段と、
その任意情報生成手段によって生成された前記任意情報を記憶する任意情報記憶手段と、
各遊技機の制御部品に取り付けられた無線通信可能な情報保持手段に、前記任意情報記憶手段に記憶された前記任意情報をセキュリティ情報として書き込むセキュリティ情報書き込み手段と、
前記情報保持手段より前記セキュリティ情報を取得するセキュリティ情報取得手段と、
予め設定された所定のタイミングで、前記セキュリティ情報取得手段を介して取得された前記セキュリティ情報と前記任意情報記憶手段にて記憶される前記任意情報とを照合して、前記セキュリティ情報と前記任意情報とが一致するか否かを判定する照合判定手段と
を備えたことを特徴とする遊技機検査システム。
【０００７】
手段１によれば、任意情報記憶手段が任意情報生成手段によって生成された任意情報を記憶し、セキュリティ情報書き込み手段は、各遊技機の制御部品に取り付けられた無線通信可能な情報保持手段に、任意情報記憶手段に記憶された任意情報をセキュリティ情報として書き込む。一方、セキュリティ情報取得手段は、情報保持手段よりセキュリティ情報を取得し、照合判定手段は、予め設定された所定のタイミングで、セキュリティ情報取得手段を介して取得されたセキュリティ情報と任意情報記憶手段にて記憶される任意情報とを照合して、セキュリティ情報と任意情報とが一致するか否かを判定する。そして、照合判定手段によりセキュリティ情報と任意情報とが一致すると判定された場合には、制御部品の不正交換がなされていないことが確実に確認される。一方、これらの情報が一致しないと判定された場合には、制御部品の不正交換がなされたことを確実に発見することができる。また、任意情報生成手段により生成された任意情報がセキュリティ情報として情報保持手段に書き込まれるので、セキュリティ情報を固定値とした従来技術よりもセキュリティ情報が盗まれる危険性が大幅に低減され、遊技機検査システムにおけるセキュリティ性の向上を図ることができる。
【０００８】
２．予め設定された所定のタイミングで、前記任意情報生成手段によって新たに生成された任意情報を前記任意情報記憶手段に記憶させると共に、その任意情報を前記セキュリティ情報書き込み手段により新たなセキュリティ情報として前記情報保持手段へ書き込むことを特徴とする手段１に記載の遊技機検査システム。
手段２によれば、予め設定された所定のタイミングで、任意情報生成手段によって新たに生成された任意情報を任意情報記憶手段に記憶させると共に、その任意情報をセキュリティ情報書き込み手段により新たなセキュリティ情報として情報保持手段へ書き込むことによりセキュリティ情報の更新が確実に行われるので、遊技機検査システムにおけるセキュリティ性の向上を図ることができる。
【０００９】
３．前記照合判定手段によって前記セキュリティ情報と前記任意情報とが一致すると判定されたことを条件として、前記セキュリティ情報書き込み手段による前記情報保持手段への新たなセキュリティ情報の書き込みが行われるように構成されたことを特徴とする手段１又は２に記載の遊技機検査システム。
手段３によれば、照合判定手段によってセキュリティ情報と任意情報とが一致すると判定されたことを条件として、セキュリティ情報書き込み手段による情報保持手段への新たなセキュリティ情報の書き込みが行われる。よって、セキュリティ情報と任意情報とが一致する場合には、情報保持手段におけるセキュリティ情報の更新が確実に行われて、遊技機検査システムにおけるセキュリティ性の向上を図ることができる。また、セキュリティ情報と任意情報とが一致しない場合にはセキュリティ情報が更新されないため、制御部品の不正交換がなされたことを確実に発見することができる。
【００１０】
４．前記セキュリティ情報書き込み手段による前記情報保持手段におけるセキュリティ情報の更新を、少なくとも遊技場の開店前準備の時間帯に実行するように構成されたことを特徴とする手段１乃至３のいずれかに記載の遊技機検査システム。
手段４によれば、遊技場の開店前に情報保持手段におけるセキュリティ情報が確実に更新されて、遊技機検査システムにおけるセキュリティ性の向上を図ることができる。
【００１１】
５．前記セキュリティ情報書き込み手段による前記情報保持手段におけるセキュリティ情報の更新を、少なくとも遊技場の閉店後処理の時間帯に実行するように構成されたことを特徴とする手段１乃至４のいずれかに記載の遊技機検査システム。
手段５によれば、遊技場の閉店後に情報保持手段におけるセキュリティ情報が確実に更新されて、遊技機検査システムにおけるセキュリティ性の向上を図ることができる。
【００１２】
６．前記セキュリティ情報書き込み手段による前記情報保持手段におけるセキュリティ情報の更新を所定時間間隔で実行するように構成されたことを特徴とする手段１乃至５のいずれかに記載の遊技機検査システム。
手段６によれば、情報保持手段におけるセキュリティ情報が所定時間間隔で確実に更新されて、遊技機検査システムにおけるセキュリティ性の向上を図ることができる。
【００１３】
７．前記セキュリティ情報取得手段は、複数の情報保持手段に対して多対１対応で設けられたことを特徴とする手段１乃至６のいずれかに記載の遊技機検査システム。
手段７によれば、複数の情報保持手段に対して多対１対応で設けられたセキュリティ情報取得手段が、複数の情報保持手段から確実にセキュリティ情報を取得することができるので、セキュリティ情報取得手段の設置数が少なくて済み、遊技機検査システムを簡単な構成とすることにより低コスト化を図ることができる。
【００１４】
８．前記セキュリティ情報取得手段は、前記各情報保持手段より略一斉にセキュリティ情報の取得を行うことを特徴とする手段７に記載の遊技機検査システム。
手段８によれば、セキュリティ情報取得手段が各情報保持手段より略一斉にセキュリティ情報の取得を行うので、簡単な構成で複数の遊技機における制御部品の不正交換がなされたか否かを迅速に検査することができる。
【００１５】
９．前記セキュリティ情報書き込み手段は、複数の情報保持手段に対して多対１対応で設けられたことを特徴とする手段１乃至８のいずれかに記載の遊技機検査システム。
手段９によれば、複数の情報保持手段に対して多対１対応で設けられたセキュリティ情報書き込み手段が、複数の情報保持手段に対して確実にセキュリティ情報を書き込むことができるので、セキュリティ情報書き込み手段の設置数が少なくて済み、遊技機検査システムの低コスト化を図ることができる。
【００１６】
１０．前記セキュリティ情報書き込み手段は、同一内容の任意情報を前記各情報保持手段に対して略一斉に書き込むことを特徴とする手段９に記載の遊技機検査システム。
手段１０によれば、セキュリティ情報書き込み手段が、同一内容の任意情報を各情報保持手段に対して略一斉に書き込むので、簡単な構成で複数の情報保持手段に対して迅速に任意情報の書き込みを行うことができる。
【００１７】
１１．前記照合判定手段は、少なくとも遊技場の開店前準備の時間帯に前記セキュリティ情報と前記任意情報との照合判定を実行するように構成されたことを特徴とする手段１乃至１０のいずれかに記載の遊技機検査システム。
手段１１によれば、照合判定手段は、少なくとも遊技場の開店前準備の時間帯にセキュリティ情報と任意情報との照合判定を実行するので、遊技場の開店前に遊技機における制御部品の不正交換がなされたか否かを確実に検査して、遊技場の開店準備を適切に行うことができる。
【００１８】
１２．前記照合判定手段は、少なくとも遊技場の閉店後処理の時間帯に前記セキュリティ情報と前記任意情報との照合判定を実行するように構成されたことを特徴とする手段１乃至１１のいずれかに記載の遊技機検査システム。
手段１２によれば、照合判定手段は、少なくとも遊技場の閉店後処理の時間帯にセキュリティ情報と任意情報との照合判定を実行するので、遊技場の閉店後に遊技機における制御部品の不正交換がなされたか否かを確実に検査して、遊技場の閉店後処理を適切に行うことができる。
【００１９】
１３．前記照合判定手段は、所定時間間隔で前記セキュリティ情報と前記任意情報との照合判定を実行するように構成されたことを特徴とする手段１乃至１２のいずれかに記載の遊技機検査システム。
手段１３によれば、照合判定手段は、所定時間間隔でセキュリティ情報と任意情報との照合判定を実行するので、所定時間間隔で遊技機における制御部品の不正交換がなされたか否かを確実に検査することができる。
【００２０】
１４．前記任意情報生成手段は、乱数を生成する乱数生成手段を備え、その乱数生成手段により生成された乱数を前記任意情報として用いることを特徴とする手段１乃至１３のいずれかに記載の遊技機検査システム。
手段１４によれば、任意情報生成手段が乱数生成手段により生成された乱数を任意情報として用い、その任意情報がセキュリティ情報として情報保持手段に書き込まれるので、セキュリティ情報を固定値とした従来技術よりもセキュリティ情報が盗まれる危険性が大幅に低減され、遊技機検査システムにおけるセキュリティ性の向上を図ることができる。
【００２１】
１５．前記各遊技機に設けられた前記各情報保持手段に予め保持された固有の識別情報を記憶する識別情報記憶手段を備え、
前記セキュリティ情報取得手段は、前記識別情報記憶手段に記憶された当該遊技機の識別情報を前記情報保持手段へ送信し、その送信した識別情報と前記情報保持手段に保持された識別情報とが一致することを条件として前記情報保持手段より送信されるセキュリティ情報を受信することを特徴とする手段１乃至１４のいずれかに記載の遊技機検査システム。
手段１５によれば、識別情報記憶手段が、各遊技機に設けられた各情報保持手段に予め保持された固有の識別情報を記憶し、セキュリティ情報取得手段は、識別情報記憶手段に記憶された当該遊技機の識別情報を情報保持手段へ送信し、その送信した識別情報と情報保持手段に保持された識別情報とが一致することを条件として情報保持手段より送信されるセキュリティ情報を受信する。よって、秘密に管理される識別情報を送信する正規のセキュリティ情報取得手段以外の装置によっては情報保持手段からセキュリティ情報を読み出すことができないので、遊技機検査システムにおけるセキュリティ性の向上を図ることができる。
【００２２】
１６．前記照合判定手段による判定結果を、外部へ通信回線を介して送信する判定結果通報手段を備えたことを特徴とする手段１乃至１５のいずれかに記載の遊技機検査システム。
手段１６によれば、判定結果通報手段が、照合判定手段による判定結果を外部の遊技機検査機関等へ通信回線を介して自動的に送信することができるので、遊技機検査機関等は不正交換の有無をリアルタイムに把握することができる。
【００２３】
１７．前記情報保持手段は、書き換え可能な不揮発性メモリを内蔵した無線ＩＣタグによって構成され、
前記セキュリティ情報書き込み手段及び前記セキュリティ情報取得手段は、前記無線ＩＣタグ用のリーダ／ライタによって構成されたことを特徴とする手段１乃至１６のいずれかに記載の遊技機検査システム。
手段１７によれば、情報保持手段を、書き換え可能な不揮発性メモリを内蔵した無線ＩＣタグによって、極めて小型且つ安価に構成することができる。また、セキュリティ情報書き込み手段及びセキュリティ情報取得手段が無線ＩＣタグ用のリーダ／ライタによって構成されているので、無線ＩＣタグへのセキュリティ情報の書き込み及び無線ＩＣタグからのセキュリティ情報の取得を無線通信により確実に行うことができる。
【００２４】
１８．前記無線ＩＣタグは、マイクロ波方式の無線ＩＣタグであることを特徴とする手段１７に記載の遊技機検査システム。
手段１８によれば、無線ＩＣタグが数メートルの通信距離を有するマイクロ波方式であるので、１台のリーダ／ライタで複数の無線ＩＣタグへのセキュリティ情報の書き込み及び無線ＩＣタグからのセキュリティ情報の取得を行うことが可能な構成を容易に実現することができる。
【発明の効果】
【００２５】
本発明によれば、照合判定手段により情報保持手段にて保持されたセキュリティ情報と任意情報記憶手段にて記憶された任意情報とが一致すると判定された場合には、制御部品の不正交換がなされていないことが確実に確認される。一方、これらの情報が一致しないと判定された場合には、制御部品の不正交換がなされたことを確実に発見することができる。また、任意情報生成手段により生成された任意情報がセキュリティ情報として情報保持手段に書き込まれるので、セキュリティ情報を固定値とした従来技術よりもセキュリティ情報が盗まれる危険性が大幅に低減され、遊技機検査システムにおけるセキュリティ性の向上を図ることができる。
【発明を実施するための最良の形態】
【００２６】
以下、本発明の遊技機検査システムの一実施形態について、図面を参照しつつ説明する。最初に、本実施形態の遊技機検査システム１による検査対象となる遊技機Ｐ１の概略構成について図１乃至図３を参照しつつ説明する。遊技機Ｐ１は、図１乃至図２に示すように、外枠１０、本体枠２０、遊技板３０、前面枠６０及び機構板８０を備えて構成されるパチンコ機である。なお、図１は遊技機Ｐ１を正面から見て示す正面図であり、図２は図１の遊技機Ｐ１を背面から見て示す背面図である。また、図３は、遊技板３０の正面図である。
【００２７】
外枠１０は、遊技機Ｐ１のベースとなる枠であり、板材により全体として矩形状に構成され、矩形板状の本体枠２０よりも僅かに大きいサイズの矩形開口１０ａを有している。本体枠２０は、遊技板３０が取り付けられる枠であり、図１において矩形開口１０ａの左端にて枢支されており、図示しない回転軸を中心に回動し、外枠１０に対して開閉可能かつ着脱可能に装着される。また、本体枠２０の前面下部２０ａは、合成樹脂、より具体的には、ＡＢＳ（アクリロニトリル−ブタジエン−スチレン）樹脂等の熱可塑性樹脂により構成されている。
【００２８】
遊技板３０は、前面では、図１及び図３において下端中央から右巻きに概略一回転する外枠レール３２に取り囲まれる略円形の領域が遊技球Ｂを流下させる遊技領域３１となっており、遊技領域３１には第１種始動口３４、図柄変動表示装置３５、大入賞口３６ａ、左上入賞口３６ｂ、左下入賞口３６ｃ、右上入賞口３６ｄ及び右下入賞口３６ｅが設けられている。第１種始動口３４は遊技球Ｂの通路を備え、その通路入口に羽根３４ａが開閉可能に支持されている。
【００２９】
図柄変動表示装置３５は、図３に示すように、第１種始動口３４の上方に設けられており、液晶ディスプレイ（ＬＣＤ）からなる画面３５ａを備えている。画面３５ａには多種類の画像が表示されるが、その１つとして、上図柄列３８、中図柄列３９及び下図柄列４０が表示される。図柄列の数は前述したもの（３列）に限られず、１列、２列、４列以上であってもよい。各図柄列３８乃至４０は、数字、記号等からなる複数の図柄によって構成されている。例えば、各図柄列３８乃至４０は、図４に示すように、「０」〜「９」からなる１０種類の図柄によって構成される。図柄変動表示装置３５では、図柄列３８乃至４０での図柄変動が、遊技球Ｂの第１種始動口３４への入賞により開始される。図柄変動は上図柄列３８、下図柄列４０、中図柄列３９の順に停止されるが、これは一例にすぎず、別の順序で停止されてもよい。
【００３０】
全ての図柄列３８乃至４０での図柄変動が停止したとき、表示されている図柄（以下「停止図柄」という）の組合せが、予め定められた組合せ（特定表示結果、以下「大当りの組合せ」という）、すなわち、同一種類の図柄が大当りラインに沿って並んでいるときの同図柄の組合せ（例えば、７７７）、となる場合がある。この停止図柄の組合せを、以下「大当り図柄」といい、停止図柄の組合せが大当り図柄となることを「大当り条件が成立した」と表現することとする。本実施形態では、大当りラインとして、垂直方向へ延びるもの（左・中・右の３種類）と、斜め方向へ延びるもの（右下がり・左下がりの２種類）の合計５種類存在するが、これに限られない。例えば、大当りラインの数が１つであり、通常、「１ライン」と呼ばれているものであってもよい。そして、大当りの組合せが成立すると特別電動役物が作動し、遊技者にとって有利な特別遊技状態としての大当り遊技状態が到来し、より多くの賞球を獲得することが可能となる。
【００３１】
大入賞口３６ａは第１種始動口３４の下方に設けられており、１つのＶゾーン４１、２つの通路４２，４３及びシャッタ４４を備えている。シャッタ４４は大入賞口用ソレノイド（以下、単に「ソレノイド」という）４５により作動させられ、Ｖゾーン４１及び通路４２，４３の各入口を開閉する。
【００３２】
また、遊技板３０には、図３に示すように、始動口用スイッチ４８、Ｖゾーン用スイッチ４９及びカウントスイッチ５０が取付けられている。始動口用スイッチ４８は、遊技球Ｂの第１種始動口３４への入賞を検出する。Ｖゾーン用スイッチ４９は遊技球ＢのＶゾーン４１への入賞を検出し、カウントスイッチ５０は遊技球Ｂの大入賞口３６ａへの入賞を検出する。また、各スイッチ４８乃至５０の検出結果に基づきソレノイド４５を駆動制御される。
【００３３】
前面枠６０は、遊技板３０の前面側に設けられる合成樹脂製の枠であり、図１において本体枠２０の左端にて枢支される。前面枠６０には、遊技領域３１を臨むガラス板が嵌め込まれるガラス枠６１、ガラス枠６１の周囲を取り囲むように配置される装飾ランプ６２、上皿６３が設けられており、遊技板３０の前面側となるように本体枠２０に取り付けられる。装飾ランプ６２は、図示しない電球と、電球を覆うように取り付けられ、電球の光を透過可能な合成樹脂製のランプカバー６２ａとから構成される。また、上皿６３は、払い出された遊技球及び遊技者が投入した遊技球Ｂを発射機構５１へ供給する樹脂からなる受皿部材である。本体枠２０の下部には、遊技球の発射機構５１と、概略矩形形状に形成された樹脂製流路板５３とが取り付けられる。また、流路板５３の前面側にて下皿７０が本体枠２０下部に枢支されて取り付けられる。下皿７０は、上皿６３より誘導された遊技球を受けて貯留する樹脂からなる受皿部材である。さらに、本体枠前面下部２０ａには、発射機構５１の一部を構成する発射ハンドル５２が取り付けられる。発射ハンドル５２は、合成樹脂により構成され、遊技球Ｂを発射するために遊技者の手により回動操作される。
【００３４】
機構板８０は、合成樹脂により構成されており、図２に示すように、本体枠２０の背面側に設けられたヒンジ金具により支持されて開閉可能に取り付けられる。機構板８０は、遊技板３０を背面側から覆うカバーの役割を果たすとともに、遊技球タンク８１に貯留された遊技球を上皿６３や下皿７０に払い出す遊技球の流路としての役割も果たすようになっている。遊技球タンク８１は、遊技機背面の機構板８０上部に設けられて払い出し用の遊技球Ｂを貯留する樹脂からなるタンク部材である。
【００３５】
本体枠２０背面の上下方向中央から上部には、図示しないＬＥＤ基板、ランプ制御基板、音声制御基板、液晶パネル制御基板、図柄制御基板、図柄情報基板等が設けられ、機構板８０にはこれらの基板を覆うように、透明の合成樹脂からなる役物カバー８５が設けられている。また、本体枠２０背面の役物カバー８５によって覆われるＬＥＤ基板等の下方には、透明の合成樹脂からなるメイン基板ボックス８２が設けられており、同基板ボックス８２にはメイン基板８４が収容されている。
【００３６】
メイン基板８４は、遊技機Ｐ１の主制御を行う制御基板であり、遊技板３０の種類に応じたＲＯＭ８３やＣＰＵ、ＲＡＭ等を主要な構成要素として構成される。尚、メイン基板８４全体及びＲＯＭ８３が、本発明の制御部品に相当するものである。また、メイン基板８４のＣＰＵによる制御の１つとして、大当り遊技状態の発生確率を条件に応じて変動させる、いわゆる確率変動がある。具体的には、１／３１５．５の低確率で大当り遊技状態を発生させる低確率モードと、その５倍である１／６３．１の高確率で大当り遊技状態を発生させる高確率モードとが用意されており、大当り図柄の種類に応じて確率モードが切替えられる。
【００３７】
すなわち、大当り図柄が、予め定められた特別図柄であると高確率モードに設定され、予め定められた通常図柄であると低確率モードに設定される。例えば、図４に示す１０種類の図柄において、大当り図柄が、奇数図柄「１」、「３」、「５」、「７」、「９」（特別図柄）の場合に高確率モードに設定され、偶数図柄「０」、「２」、「４」、「６」、「８」（通常図柄）の場合に低確率モードに設定される。この場合、大当り発生全体に対する高確率モードの発生割合、すなわち確率変動の発生割合（以下、「確変割合」と称する）は１／２である。なお、低確率モードでの発生確率に対する高確率モードでの発生確率の倍数は、前述した値（５）以外の値であってもよい。
【００３８】
ＲＯＭ８３の表面には、無線ＩＣタグ８８が取り付けられている。無線ＩＣタグ８８は、マイクロ波方式の無線通信により情報の読み出し／書き込みが可能なＲＦＩＤ（Ｒａｄｉｏ  Ｆｒｅｑｕｅｎｃｙ  Ｉｄｅｎｔｉｆｉｃａｔｉｏｎ）と称される電子部品である。尚、無線ＩＣタグ８８が、本発明の無線通信可能な情報保持手段を構成するものである。図５は、無線ＩＣタグ８８の構成を示す平面図であり、図６は、無線ＩＣタグ８８の断面図である。無線ＩＣタグ８８は、例えば、ポリエチレンフィルムなどの合成樹脂からなる薄いシールフィルム８８１と、このシールフィルム８８１の一方面に配置されたＩＣチップ８８２及びアンテナ８８３とを備えている。シールフィルム８８１は、平面形状が略長方形状に形成されている。シールフィルム８８１の一方面には、接着剤が塗布されることによって第１粘着層８８１ａが形成されており、この第１粘着層８８１ａ上にＩＣチップ８８２及びアンテナ８８３が配置されている。
【００３９】
ＩＣチップ８８２は、後述するリーダ／ライタ１２０との間におけるデータ通信を制御するためのものであり、内蔵されたＥＥＰＲＯＭ８８２ｃ（後述する）には、無線ＩＣタグ８８に固有の識別情報及びセキュリティ情報が格納されている。アンテナ８８３は、例えば、銅からなる金属膜をポール状に形成したアンテナであり、その中央にＩＣチップ８８２が接続されている。
【００４０】
アンテナ８８２は、第１粘着層８８１ａが有する粘着力により、第１粘着層８８１ａの表面に直接に貼着されている。また、ＩＣチップ８８２及びアンテナ８８３の表面には、接着剤を塗布することにより、第２粘着層８８１ｃが形成されている。無線ＩＣタグ８８は、第２粘着層８８１ｃ及びこの第２粘着層８８１ｃから露出している第１粘着層８８１ａの粘着力により、上述したようにＲＯＭ８３表面に貼り付けられる。
【００４１】
次に、無線ＩＣタグ８８の電気的構成について、図１１を参照しつつ説明する。無線ＩＣタグ８８に備えられたＩＣチップ８８２は、図１１の右半分に示すように、ＣＰＵ８８２ａ，ＲＡＭ８８２ｂ，識別情報及びセキュリティ情報を不揮発的且つ電気的に書き換え可能に記憶するＥＥＰＲＯＭ８８２ｃ，通信回路８８２ｄ，電源回路８８２ｅを主体として構成され、マイクロ波方式によりリーダ／ライタ１２０と数メートルの距離で無線交信可能となっている。リーダ／ライタ１２０がアンテナ１２２からＵＨＦ帯に属する所定周波数の電波を出力すると、通信回路８８２ｄがアンテナ８８３を介してその電波を受信し、電源回路８８２ｅがＩＣチップ８８２を動作させるための電力に変換する。つまり、ＩＣチップ８８２は、バッテリを持たず、リーダ／ライタ１２０から送信される電波による電力供給によって動作するように構成されている。
【００４２】
また、通信回路８８２ｄでは、リーダ／ライタ１２０から出力された電波からデータ成分を取り出し、デジタルデータに変換してＣＰＵ８８２ａに与える。ＣＰＵ８８２ａは、リーダ／ライタ１２０からの受信データが与えられると、ＥＥＰＲＯＭ８８２ｃから当該無線ＩＣタグ８８の識別情報を読み出し、その読み出した識別情報と受信データとを照合し、識別情報と受信データとが一致するか否かを判定する。そして、受信データが当該無線ＩＣタグ８８の識別情報と一致した場合、ＣＰＵ８８２ａは、ＥＥＰＲＯＭ８８２ｃからセキュリティ情報を読み出し、通信回路８８２ｄは、その読み出したセキュリティ情報を含む電波をアンテナ８８３より送出する。一方、受信データと当該無線ＩＣタグ８８の識別情報とが一致しない場合、ＣＰＵ８８２ａは当該無線ＩＣタグ８８へのアクセスではないと判断して、上述したセキュリティ情報の読み出し及び送信を実行しない。
【００４３】
本体枠２０背面上部には、遊技機Ｐ１から外部へ電気信号を出力する外部端子板６５が設けられ、その外部端子板６５は信号線６６を介してホール管理コンピュータ１１０と接続されている。より具体的には、外部端子板６５は、大当り信号出力端子６５ａと、図柄確定信号出力端子６５ｂと、確変信号出力端子６５ｃとを有している。大当り信号出力端子６５ａは、大当り中に大当り信号を出力する。図柄確定信号出力端子６５ｂは、図柄変動表示装置３５における図柄の変動が停止するごとに図柄確定信号を出力する。確変信号出力端子６５ｃは、大当り中であり且つ高確率モード中に確変信号を出力する。機構板８０には、外部端子板６５に対応する位置に矩形状の開口部８０ａが形成されており、その開口部８０ａよりこれらの端子６５ａ〜６５ｃが外部に露出し、端子６５ａには信号線６６ａが、端子６５ｂには信号線６６ｂが、端子６５ｃには信号線６６ｃがそれぞれ接続されている。
【００４４】
本体枠２０背面のメイン基板ボックス８２の下方には、透明の合成樹脂からなる払出制御基板ボックス８６が設けられており、同基板ボックス８６には遊技球の払出し制御を行う払出制御基板８７が収容されている。
【００４５】
次に、本発明の実施形態の遊技機検査システム１の構成及び作用について説明する。遊技機検査システム１は、図７に示すように、遊技ホール内の各遊技機Ｐ１の外部端子板６５と信号線６６を介して接続されたホール管理コンピュータ１１０と、各遊技機島に設置された複数の遊技機Ｐ１に対して多対１対応で設けられたリーダ／ライタ１２０と、ホール管理コンピュータ１１０とリーダ／ライタ１２０とを接続する通信線１３０とを備えている。
【００４６】
次に、ホール管理コンピュータ１１０の構成について図８乃至図９を参照しつつ説明する。ホール管理コンピュータ１１０は、遊技ホール内の遊技機島に設置された複数の遊技機Ｐ１の遊技状態を管理するコンピュータである。ホール管理コンピュータ１１０には、図８に示すように、各遊技機Ｐ１の端子６５ａ〜６５ｃからそれぞれ出力される大当り信号、図柄確定信号、確変信号が信号線６６ａ〜６６ｃを介してそれぞれ入力される。
【００４７】
ホール管理コンピュータ１１０は、ＣＰＵ１１０ａ，ＲＯＭ１１０ｂ，ＲＡＭ１１０ｃ，ハードディスクドライブ１１０ｄ，入出力回路１１０ｅ等を内蔵した本体１１１と、ディスプレイ１１２と、キーボード１１３とを主体として構成される。ディスプレイ１１２は、ホール管理コンピュータ１１０が管理する各種データや検査結果等の表示出力する出力装置である。キーボードは、各種コマンドやデータを入力する入力装置である。
【００４８】
また、本体１１１のハードディスクドライブ１１０ｄには、遊技機検査プログラムを含む各種の制御プログラム、遊技ホール内に設置された各遊技機Ｐ１を管理するための情報をデータベース化した遊技機データベース、照合判定用の任意の情報を記憶する任意情報テーブル及び予め設定された検査時刻を記憶する検査時刻設定テーブルが記憶されている。図９は、ハードディスクドライブ１１０ｄにおける遊技機データベースの記憶例を示している。遊技機データベースは、各遊技機Ｐ１の管理番号ごとに、識別情報、大当り回数、変動回数及び検査結果が記憶されている。管理番号は、遊技ホール内に設置された各遊技機Ｐ１に対して与えられる固有の番号である。識別情報は、各遊技機Ｐ１に取り付けられた無線ＩＣタグ８８に保持される固有の識別情報と同一内容であり、遊技ホールにおいて秘密に管理されるデータである。大当り回数は、当該遊技機Ｐ１における大当り発生回数の累積値であり、ＣＰＵ１１０ａにおける大当り信号の入力カウント値である。変動回数は、当該遊技機Ｐ１における図柄変動回数の累積値であり、ＣＰＵ１１０ａにおける図柄確定信号の入力カウント値である。大当り回数及び変動回数も、識別情報と同様に遊技ホールにおいて秘密に管理されるデータである。尚、ハードディスクドライブ１１０ｄが、本発明の任意情報記憶手段及び識別情報記憶手段を構成するものである。
【００４９】
リーダ／ライタ１２０は、無線ＩＣタグ８８からの情報の取得及び無線ＩＣタグ８８への情報の書き込みを無線通信により行う装置である。尚、リーダ／ライタ１２０が、本発明のセキュリティ情報書き込み手段及びセキュリティ情報取得手段を構成するものである。リーダ／ライタ１２０は、図１０に示すように、本体１２１と、アンテナ１２２とから構成され、アンテナ１２２が遊技機Ｐ１に取り付けられた無線ＩＣタグ８８に対向するように設置される。本体１２１は、図１１の左側に示すように、ＣＰＵ１２１ａと、ＲＯＭ１２１ｂと、ＲＡＭ１２１ｃと、入出力回路１２１ｄと、通信回路１２１ｅとを主体として構成される。ホール管理コンピュータ１１０から通信線１３０を介して入出力回路１２１ｄへデータが入力されると、通信回路１２１ｅは送信データに基づいて変調したＵＨＦ帯に属する所定周波数の電波をアンテナ１２２より送出する。一方、アンテナ１２２を介して無線ＩＣタグ８８からデータを受信した場合は、通信回路１２１ｅがデジタルデータに変換して入出力回路１２１ｄより通信線１３０を介してホール管理コンピュータ１１０へ送信する。
【００５０】
次に、遊技機検査システム１における遊技機検査処理の流れについて、図１２のフローチャートを参照しつつ説明する。尚、図１２のフローチャートに示す遊技機検査処理ルーチンは、ホール管理コンピュータ１１０のハードディスクドライブ１１０に記憶された遊技機検査プログラムの内容を示すものであり、検査時刻設定テーブルにて予め設定された時刻が到来すると、ＣＰＵ１１０ａが、ハードディスクドライブ１１０より遊技機検査プログラムを読み出して遊技機検査処理ルーチンを実行する。遊技機検査処理ルーチンは、具体的には、図１４の検査時刻設定テーブルの記憶例に示すように、１回目が９時３０分に、２回目が２２時３０分に実行される。１回目の検査時刻が９時３０分に設定されているのは、当該遊技ホールの開店時刻が１０時であって、開店前準備の時間帯にＲＯＭ８３及びメイン基板８４の不正交換を検査するためである。また、２回目に検査時刻が２２時３０分に設定されているのは、当該遊技ホールの閉店時刻が２２時であって、閉店後処理の時間帯にＲＯＭ８３及びメイン基板８４の不正交換を検査するためである。
【００５１】
図１２の遊技機検査処理ルーチンが呼び出されると、最初に、乱数生成ルーチンを呼び出して実行する（ステップ１。以下、Ｓ１と略記する。他のステップも同様。）。尚、乱数生成ルーチンは、公知の線形合同法等によって擬似的に乱数を生成するプログラムであり、乱数生成ルーチンが本発明の任意情報生成手段及び乱数生成手段として機能する。次に、図示しないリアルタイムクロックから取得された現在の日時情報と共に、乱数生成ルーチンによって生成された乱数を今回の任意情報としてハードディスクドライブ１１０ｄ上の任意情報テーブルに記憶する。ここで、図１３は、任意情報テーブルの記憶例を示しており、例えば、４月２２日の９時３０分に記憶された今回の任意情報が「６３９２０」となっており、４月２１日の２２時３０分に記憶された前回の任意情報が「２７６１４」となっている。
【００５２】
次に、遊技機Ｐ１の管理番号最小値をＮに設定する（Ｓ３）。管理番号最小値は、当該遊技ホールに設置された複数の遊技機Ｐ１にそれぞれ与えられた管理番号中の最小値である。管理番号は、図９に示すように、最小値「００１」から「００２」、「００３」のように１ずつ順に増加するように設定され、最大値は「１００」となっている。次に、遊技機データベースから管理番号Ｎに対応する識別情報を読み出して、セキュリティ情報の要求コマンドと共にリーダ／ライタ１２０へ送信する（Ｓ４）。リーダ／ライタ１２０は、要求コマンド及び識別情報を含む電波をアンテナ１２２より無線ＩＣタグ８８へ送出する。
【００５３】
次に、リーダ／ライタ１２０よりデータ（すなわち、セキュリティ情報）を受信したか否かを判定する（Ｓ５）。データを受信していない場合（Ｓ５：Ｎｏ）、データ送信時からの経過時間が所定時間内か否かを判定し（Ｓ６）、所定時間内である場合（Ｓ６：Ｙｅｓ）、Ｓ５を繰り返す。リーダ／ライタ１２０よりデータを受信した場合（Ｓ５：Ｙｅｓ）、受信データと前回の任意情報とを照合し（Ｓ７）、これらが一致するか否かを判定する（Ｓ８）。受信データと前回の任意情報とが一致する場合（Ｓ８：Ｙｅｓ）、遊技機データベースに当該遊技機Ｐ１の検査結果が”正常”であることを示すデータを記憶させる。
【００５４】
Ｓ６で所定時間を超えたと判定された場合（Ｓ６：Ｎｏ）、又はＳ８で受信データ（セキュリティ情報）と前回の任意情報とが一致していないと判定された場合（Ｓ８：Ｎｏ）、遊技機データベースに当該遊技機Ｐ１の検査結果が異常であることを示すデータを記憶させると共に（Ｓ１１）、ディスプレイ１１２において画面表示を点滅させる等の通常とは異なる表示態様とすることにより、検査結果が異常であることを遊技ホールの管理者等に報知し（Ｓ１２）、Ｓ１３へ進む。すなわち、Ｓ６で所定時間を超えたと判定された場合は、当該遊技機Ｐ１に無線ＩＣタグ８８が取り付けられていないか或いは無線ＩＣタグ８８に正しい識別情報が保持されていない場合であり、ＲＯＭ８３或いはメイン基板８４全体が不正交換されたと判断される。また、Ｓ８で受信データと前回の任意情報とが一致していないと判定された場合は、無線ＩＣタグ８８が正しい識別情報を保持しているものの正しいセキュリティ情報を保持していない場合であり、この場合もＲＯＭ８３或いはメイン基板８４全体が不正交換されたと判断される。尚、Ｓ７及びＳ８のステップが、本発明の照合判定手段としてそれぞれ機能するものである。
【００５５】
次に、任意情報テーブルより今回の任意情報を読み出して、識別情報、書き込みコマンド及び今回の任意情報をリーダ／ライタ１２０へ送信する（Ｓ１０）。そして、リーダ／ライタ１２０が、識別情報、書き込みコマンド及び今回の任意情報を含む電波を無線ＩＣタグ８８へ送信すると、無線ＩＣタグ８８のＥＥＰＲＯＭ８８２ｃに今回の任意情報が新たなセキュリティ情報として書き込まれる。続いて、Ｎの値をカウントアップし（Ｓ１３）、Ｎが管理番号最大値以下か否かを判定する（Ｓ１４）。Ｎが管理番号最大値以下の場合（Ｓ１４：Ｙｅｓ）、Ｓ４へ戻り、検査が完了していない遊技機Ｐ１の検査処理（Ｓ４〜Ｓ１４）を順次、実行していく。一方、Ｎが管理番号最大値を超えている場合は（Ｓ１４：Ｎｏ）、当該遊技ホール内のすべての遊技機Ｐ１の検査が終了しているので、本ルーチンの処理を終了してリターンする。
【００５６】
以上詳述したことから明らかなように、本実施形態によれば、検査時刻設定テーブルにて予め設定された時刻が到来すると、乱数生成ルーチンによって生成された乱数がハードディスクドライブ１１０ｄ上の任意情報テーブルに今回の任意情報として記憶される。ホール管理コンピュータ１１０は、リーダ／ライタ１２０を介して無線ＩＣタグ８８よりセキュリティ情報を取得し、そのセキュリティ情報と任意情報テーブルにて記憶される前回の任意情報とを照合し（Ｓ７）、セキュリティ情報と前回の任意情報とが一致するか否かを判定する（Ｓ８）。さらに、リーダ／ライタ１２０は、任意情報テーブルに記憶された今回の任意情報を、各遊技機Ｐ１のＲＯＭ８３に取り付けられた無線ＩＣタグ８８に新たなセキュリティ情報として書き込む。そして、セキュリティ情報と前回の任意情報とが一致すると判定された場合には（Ｓ８：Ｙｅｓ）、ＲＯＭ８３の不正交換がなされていないことが確実に確認される。一方、これらの情報が一致しないと判定された場合には、ＲＯＭ８３の不正交換がなされたことを確実に発見することができる。また、乱数生成ルーチンにより生成された任意情報がセキュリティ情報として無線ＩＣタグ８８に書き込まれるので、セキュリティ情報を固定値とした従来技術よりもセキュリティ情報が盗まれる危険性が大幅に低減され、遊技機検査システム１におけるセキュリティ性の向上を図ることができる。
【００５７】
また、セキュリティ情報と前回の任意情報とが一致すると判定されたことを条件として、リーダ／ライタ１２０による無線ＩＣタグ８８への新たなセキュリティ情報（今回の任意情報）の書き込みが行われる（Ｓ７〜Ｓ１０）。よって、セキュリティ情報と任意情報とが一致する場合には、無線ＩＣタグ８８におけるセキュリティ情報の更新が確実に行われて、遊技機検査システム１におけるセキュリティ性の向上を図ることができる。また、セキュリティ情報と前回の任意情報とが一致しない場合には無線ＩＣタグ８８におけるセキュリティ情報が更新されないため、ＲＯＭ８３の不正交換がなされたことを確実に発見することができる。
【００５８】
また、ハードディスクドライブ１１０ｄ上の遊技機データベースには、各遊技機Ｐ１に設けられた各無線ＩＣタグ８８に予め保持された固有の識別情報が記憶され、ホール管理コンピュータ１１０は、遊技機データベースに記憶された当該遊技機Ｐ１の識別情報をリーダ／ライタ１２０を介して無線ＩＣタグ８８へ送信し、その送信した識別情報と無線ＩＣタグ８８に保持された識別情報とが一致することを条件として無線ＩＣタグ８８より送信されるセキュリティ情報を受信する。よって、秘密に管理される識別情報を送信可能な正規のリーダ／ライタ１２０以外によっては無線ＩＣタグ８８からセキュリティ情報を読み出すことができないので、遊技機検査システム１におけるセキュリティ性の向上をより一層図ることができる。
【００５９】
また、予め検査時刻設定テーブルにて設定されたタイミングで、乱数生成ルーチンによって新たに生成された任意情報を任意情報テーブルに記憶させると共に、その任意情報をリーダ／ライタ１２０を介して新たなセキュリティ情報として無線ＩＣタグ８８へ書き込むことによりセキュリティ情報の更新が確実に行われる。特に、遊技ホールの開店前準備の時間帯（９時３０分）及び閉店後処理の時間帯（２２時３０分）に無線ＩＣタグ８８におけるセキュリティ情報が確実に更新される。
【００６０】
また、複数の遊技機Ｐ１に設けられた無線ＩＣタグ８８に対して１台のリーダ／ライタ１２０が、多対１対応で設けられているので、リーダ／ライタ１２０の設置数が少なくて済み、遊技機検査システム１を簡単な構成とすることにより低コスト化を図ることができる。そして、リーダ／ライタ１２０は、複数の無線ＩＣタグ８８より略一斉にセキュリティ情報の取得を行うので、簡単な構成で複数の遊技機Ｐ１におけるＲＯＭ８３等の不正交換がなされたか否かを迅速に検査することができる。また、リーダ／ライタ１２０は、同一内容の任意情報を複数の無線ＩＣタグ８８に対して略一斉に書き込むので、簡単な構成で複数の無線ＩＣタグ８８に対して迅速に任意情報の書き込みを行うことができる。尚、図１２に示すフローチャートの処理は高速に実行されるので、無線ＩＣタグ８８からのセキュリティ情報の取得及び無線ＩＣタグ８８に対するセキュリティ情報の書き込みは略一斉に行われているように外観上は認識される。
【００６１】
また、セキュリティ情報を保持する情報保持手段として、書き換え可能な不揮発性メモリを内蔵した無線ＩＣタグ８８を用いたので、極めて小型且つ安価に構成することができる。また、リーダ／ライタ１２０により、無線ＩＣタグ８８へのセキュリティ情報の書き込み及び無線ＩＣタグ８８からのセキュリティ情報の取得を無線通信により確実に行うことができる。特に、無線ＩＣタグ８８が数メートルの通信距離を有するマイクロ波方式であるので、１台のリーダ／ライタ１２０で複数の無線ＩＣタグ８８へのセキュリティ情報の書き込み及び無線ＩＣタグ８８からのセキュリティ情報の取得を行うことが可能な構成を容易に実現することができる。
【００６２】
尚、本発明は上述した各実施の形態に限定されるものではなく、本発明の主旨を逸脱しない範囲で種々の変更を施すことが可能である。例えば、図１２に示す遊技機検査処理ルーチンのフローチャートにおいて、Ｓ７〜Ｓ８のステップにおける判定結果を外部の遊技機検査機関等へ通信回線を介して自動的に送信するステップ（判定結果通報手段）を設ける構成としてもよい。本変形例によれば、外部の遊技機検査機関等において遊技ホールに設置された各遊技機における制御部品の不正交換の有無をリアルタイムに把握することができる。
【００６３】
また、前記実施形態では、遊技ホールの開店前準備の時間帯（９時３０分）及び閉店後処理の時間帯（２２時３０分）にのみ図１２に示す遊技機検査処理ルーチンを実行する構成としたが、遊技機検査処理ルーチンを所定時間間隔で（例えば、１時間毎に）実行するように構成してもよい。本変形例によれば、無線ＩＣタグ８８にて保持されたセキュリティ情報と前回の任意情報との照合判定及び無線ＩＣタグ８８におけるセキュリティ情報の更新が所定時間間隔で確実に実行され、遊技機検査システム１におけるセキュリティ性の向上を図ることができる。
【産業上の利用可能性】
【００６４】
本発明は、パチンコ機、スロットマシン、複数種類の図柄が表示された複数の回転リールを有し、各回転リールの回転停止時の図柄の組合わせに基づく入賞態様に応じて遊技球が払い出されるパチロット機等、制御部品の不正交換がなされるおそれがある遊技機を検査するシステムに適用可能である。
【図面の簡単な説明】
【００６５】
【図１】遊技機検査システムの検査対象である遊技機の一例を示す正面図である。
【図２】図１の遊技機の背面図である。
【図３】遊技板の正面図である。
【図４】図柄変動表示装置において変動表示される図柄パターンの一例を示す図である。
【図５】無線ＩＣタグの平面図である。
【図６】無線ＩＣタグの断面図である。
【図７】遊技機検査システムの全体構成を示す図である。
【図８】ホール管理コンピュータのシステム構成を示すブロック図である。
【図９】遊技機データベースの記憶例を示す図である。
【図１０】リーダ／ライタの外観及び設置状態を示す斜視図である。
【図１１】リーダ／ライタ及び無線ＩＣタグの電気的構成を示すブロック図である。
【図１２】遊技機検査処理の流れを示すフローチャートである。
【図１３】任意情報テーブルの記憶例を示す図である。
【図１４】検査時刻設定テーブルの記憶例を示す図である。
【符号の説明】
【００６６】
Ｐ１  遊技機
１    遊技機検査システム
８８  無線ＩＣタグ（情報保持手段）
１１０  ホール管理コンピュータ（任意情報記憶手段、識別情報記憶手段）
１１０ｄ  ハードディスクドライブ（任意情報記憶手段、識別情報記憶手段）
１２０  リーダ／ライタ（セキュリティ情報書き込み手段、セキュリティ情報取得手段）
１３０  通信線
【図１】
2005312558.tif 000003
【図２】
2005312558.tif 000004
【図３】
2005312558.tif 000005
【図４】
2005312558.tif 000006
【図５】
2005312558.tif 000007
【図６】
2005312558.tif 000008
【図７】
2005312558.tif 000009
【図８】
2005312558.tif 000010
【図９】
2005312558.tif 000011
【図１０】
2005312558.tif 000012
【図１１】
2005312558.tif 000013
【図１２】
2005312558.tif 000014
【図１３】
2005312558.tif 000015
【図１４】
2005312558.tif 000016